(57)【要約】【課題】各放射線画像情報記録読取装置の構成を簡素なものとし、低コストで且つ小型にすることができる放射線画像情報記録読取装置の制御装置を提供する。【解決手段】撮影室１２内には、立位型ＣＲユニット１４と横臥型ＣＲユニット１６と制御装置１８とが配設される。制御装置１８は、シーケンス制御部７０と画像処理部７２と切換部７４とから構成される。切換部７４は、第１切換回路１００と第２切換回路１０２と切換信号生成部１０４とを備え、切換信号生成部１０４は、ＣＲユニット１４、１６の各センサ３８からの検出信号に基づいて切換信号ＳＥＬを生成し、切換信号ＳＥＬに基づいて第１切換回路１００および第２切換回路１０２を切り換えて、シーケンス制御部７０および画像処理部７２をＣＲユニット１４、１６のいずれか一方に接続する。【選択図】図１
2004191565.tif 000002
【特許請求の範囲】
【請求項１】
放射線源から放出される放射線を被写体を介して蓄積性蛍光体シートに照射することで前記蓄積性蛍光体シートに放射線画像情報を記録し、前記放射線画像情報が記録された前記蓄積性蛍光体シートに励起光を照射することで得られる輝尽発光光を光電的に読み取る複数の放射線画像情報記録読取装置の制御装置であって、
前記複数の放射線画像情報記録読取装置による放射線画像情報の記録制御および／または読取制御を行う制御部と、
所定の切換指令に基づいて、前記制御部を前記複数の放射線画像情報記録読取装置のいずれか１つに接続する切換部と、
を備えることを特徴とする放射線画像情報記録読取装置の制御装置。
【請求項２】
請求項１記載の制御装置において、
前記制御部は、前記蓄積性蛍光体シートに残存する放射線画像情報を消去する消去処理の制御を行うことを特徴とする放射線画像情報記録読取装置の制御装置。
【請求項３】
請求項１または２記載の制御装置において、
前記制御部は、前記各放射線画像情報記録読取装置における処理のシーケンス制御を行うシーケンス制御部と、読み取られた放射線画像情報の画像処理を行う画像処理部とを有することを特徴とする放射線画像情報記録読取装置の制御装置。
【請求項４】
請求項１〜３のいずれか１項に記載の制御装置において、
前記所定の切換指令は、前記複数の放射線画像情報記録読取装置に設けられた被写体検出センサによる前記被写体の検出信号に基づいて生成されることを特徴とする放射線画像情報記録読取装置の制御装置。
【発明の詳細な説明】
【０００１】
【発明の属する技術分野】
本発明は、放射線源から放出される放射線を被写体を介して蓄積性蛍光体シートに照射することで前記蓄積性蛍光体シートに放射線画像情報を記録し、前記放射線画像情報が記録された前記蓄積性蛍光体シートに励起光を照射することで得られる輝尽発光光を光電的に読み取る複数の放射線画像情報記録読取装置の制御装置に関する。
【０００２】
【従来の技術】
従来より、放射線（Ｘ線、α線、β線、γ線、電子線、紫外線等）を照射すると、この放射線エネルギの一部が蓄積され、その後、可視光等の励起光を照射すると蓄積されたエネルギ強度に応じて輝尽発光を示す蓄積性蛍光体（輝尽性蛍光体）を利用して、人体等の被写体の放射線画像情報をシート状の蓄積性蛍光体層を備えてなる蓄積性蛍光体シートに一旦記録し、この蓄積性蛍光体シートにレーザ光等の励起光を照射して得られる輝尽発光光を光電的に読み取って得られた画像信号を写真感光材料等の記録媒体、ＣＲＴ等の表示装置に被写体の放射線画像を可視像として出力させる放射線画像情報記録読取装置、いわゆるＣＲ（Ｃｏｍｐｕｔｅｄ  Ｒａｄｉｏｇｒａｐｈｙ）装置が知られている。また、このＣＲ装置には、放射線画像情報が読み取られた蓄積性蛍光体シートに消去光を照射することで蓄積性蛍光体シートに残存する放射線画像情報を消去する消去機能を備えたものもある。
【０００３】
このようなＣＲ装置には、放射線照射制御、読取制御、消去制御等のシーケンス制御や、読み取られた放射線画像情報に対する各種画像処理制御を行う制御部が必要である。従来、前記制御部は、ＣＲ装置に一体に組み込まれるか（特許文献１参照）、あるいは、ケーブル等を介して各ＣＲ装置に接続されている（特許文献２参照）。
【０００４】
【特許文献１】
特開２００１−１３３９１９号公報（図１）
【特許文献２】
特開２００１−２４２５６９号公報（図１）
【０００５】
【発明が解決しようとする課題】
この場合、シーケンス制御や各種画像処理制御は、高価なＣＰＵ（Ｃｅｎｔｒａｌ  Ｐｒｏｃｅｓｓｉｎｇ  Ｕｎｉｔ）やＬＳＩ（Ｌａｒｇｅ  Ｓｃａｌｅ  Ｉｎｔｅｇｒａｔｉｏｎ）を用いて行われるので、制御部の部品コストは必然的に高いものとなる。
【０００６】
一方、病院では、通常、被写体を立位姿勢として撮影するＣＲ装置と、横臥姿勢として撮影するＣＲ装置とが１つの撮影室内に設置されている。このように、複数のＣＲ装置毎に前記制御部を搭載しているため、非常に高価なものとならざるを得なかった。
【０００７】
また、制御部をＣＲ装置毎に搭載しているので装置が大型化してしまう。従って、例えば、スペースの限られる撮影室では、被写体と放射線源との距離を十分に確保することができず、放射線撮影の自由度が低下するおそれがある。
【０００８】
本発明は、上記の問題を解決するためになされたものであり、各放射線画像情報記録読取装置の構成を簡素なものとし、低コストで且つ小型にすることができる放射線画像情報記録読取装置の制御装置を提供することを目的とする。
【０００９】
【課題を解決するための手段】
前記の課題を解決するために、本発明は、放射線源から放出される放射線を被写体を介して蓄積性蛍光体シートに照射することで前記蓄積性蛍光体シートに放射線画像情報を記録し、前記放射線画像情報が記録された前記蓄積性蛍光体シートに励起光を照射することで得られる輝尽発光光を光電的に読み取る複数の放射線画像情報記録読取装置の制御装置であって、
前記放射線画像情報記録読取装置による放射線画像情報の記録制御および／または読取制御を行う制御部と、
所定の切換指令に基づいて、前記制御部を前記複数の放射線画像情報記録読取装置のいずれか１つに接続する切換部と、
を備えることを特徴とする。
【００１０】
この発明によれば、切換部は、所定の切換指令に基づいて制御部を複数の放射線画像情報記録読取装置のいずれか１つに接続する。制御部は、接続された放射線画像情報記録読取装置を制御し、放射線画像情報の記録制御および／または読取制御を行う。この場合、制御部を各放射線画像情報記録読取装置間で共通化できるため、各放射線画像情報記録読取装置を簡素且つ小型にすることができる。
【００１１】
この場合、前記制御部は、前記蓄積性蛍光体シートに残存する放射線画像情報を消去する消去処理の制御を行ってもよい。
【００１２】
さらに、前記制御部は、前記各放射線画像情報記録読取装置における処理のシーケンス制御を行うシーケンス制御部と、読み取られた放射線画像情報の画像処理を行う画像処理部とを有することで、シーケンス制御部および画像処理部に搭載されるＣＰＵや画像処理用ＬＳＩ等の高価な部品を大幅に削減することができるため、より高いコストダウン効果が得られる。
【００１３】
さらに、前記所定の切換指令を前記複数の放射線画像情報記録読取装置に設けられた被写体検出センサによる前記被写体の検出信号に基づいて生成し、前記複数の放射線画像情報記録読取装置を自動的に切り換えるように構成することもできる。
【００１４】
【発明の実施の形態】
本発明に係る放射線画像情報記録読取装置の制御装置について、好適な実施形態を挙げ、添付の図面を参照しながら以下詳細に説明する。
【００１５】
図１は、本実施の形態の放射線画像情報記録読取装置の制御装置が適用される放射線画像情報処理システム１０を示す。放射線画像情報処理システム１０は、病院内に構築され、基本的には、撮影室１２内に設置された立位型の放射線画像情報記録読取ユニット１４（以下、立位型ＣＲユニット１４という）と、横臥型の放射線画像情報記録読取ユニット１６（以下、横臥型ＣＲユニット１６という）と、制御装置１８と、撮影室１２外に設置されるとともに、ＬＡＮ（Ｌｏｃａｌ  Ａｒｅａ  Ｎｅｔｗｏｒｋ）、ＶＡＮ（Ｖａｌｕｅ  Ａｄｄｅｄ  Ｎｅｔｗｏｒｋ）、あるいは、インターネット等のネットワーク２０を介して制御装置１８と接続される画像情報処理装置２２とから構成される。前記ネットワーク２０上には、図示しないが、画像情報記録装置、画像情報閲覧装置、あるいは、画像情報保存装置等が接続されている。
【００１６】
立位型ＣＲユニット１４は、図２に示すように、基本的には、人体等の被写体３０の放射線画像情報を蓄積性蛍光体シートＰに一旦記録する放射線記録部３２と、前記蓄積性蛍光体シートＰにレーザ等の励起光Ｌを照射し、記録された放射線画像情報に応じて発光する輝尽発光光Ｒを光電的に読み取る読取部３４と、蓄積性蛍光体シートＰに残存している放射線エネルギを放出させる消去部３６と、被写体３０の接近を検出するセンサ３８とから構成される。前記センサ３８は、マイクロ波感知器、パッシブ赤外線（ＩＲ）感知器、あるいは静電容量感知器等で構成され、立位型ＣＲユニット１４の上部等、被写体３０を検出可能な部位に配置される。
【００１７】
放射線記録部３２は、放射線Ｓを発生させる放射線源４０と、人体等の被写体３０を所定位置に保持する撮影台４２と、蓄積性蛍光体シートＰとを有する。撮影台４２と蓄積性蛍光体シートＰの間には、散乱放射線を除去するためのグリッド４４が配されている。
【００１８】
読取部３４は、蓄積性蛍光体シートＰに記録された放射線画像情報を読み取るスキャナユニット５０と、スキャナユニット５０を上下方向に変位させるスキャナユニット駆動部５２とを有する。
【００１９】
スキャナユニット５０は、ライン光源５４と、集光レンズアレイ５６と、ＣＣＤ（Ｃｈａｒｇｅ  Ｃｏｕｐｌｅｄ  Ｄｅｖｉｃｅ）ラインセンサ５８とを有する。
【００２０】
ライン光源５４は、図示しないレーザダイオードアレイおよびシリンドリカルレンズからなる。レーザダイオードアレイは、発振波長が、例えば６５０〜６９０ｎｍ帯にある複数のレーザダイオードを一列に並べたものである。各レーザダイオードから発せられた発散光状態の励起光は、シリンドリカルレンズにより一方向に集光されてファンビームとなり、それらのファンビームが合成されてなる励起光Ｌが蓄積性蛍光体シートＰを線状に照射する。
【００２１】
集光レンズアレイ５６は、図示しない複数の屈折率分布型レンズを蓄積性蛍光体シートＰ上において、励起光Ｌが照射される幅方向（図２において矢印Ｘ方向）に並べたものである。各屈折率分布型レンズは、蓄積性蛍光体シートＰから発せられた輝尽発光光Ｒを集光し、ＣＣＤラインセンサ５８に導く。
【００２２】
ＣＣＤラインセンサ５８は、多数の光電変換部を蓄積性蛍光体シートＰの幅方向に並べたものである。なお、蓄積性蛍光体シートＰの幅が広い場合は、蓄積性蛍光体シートＰの幅方向全域を読み取れるように、幅方向に対してＣＣＤラインセンサ５８を複数個連ねるような構成にしてもよい。
【００２３】
スキャナユニット駆動部５２は、立位型ＣＲユニット１４の上下方向（図２において矢印Ｙ方向）に延在するボールねじ６０を有し、該ボールねじ６０を回転させることにより、ボールねじ６０に螺合するスキャナユニット５０を上下方向に変位可能にする。スキャナユニット５０は読み取り時以外には、図２の２点鎖線で示すホームポジションに待機している。
【００２４】
消去部３６は、蓄積性蛍光体シートＰに対して読取部３４を挟んで対向して配置される。消去部３６は蓄積性蛍光体シートＰに消去光Ｑを照射して、該蓄積性蛍光体シートＰに残存している放射線エネルギを放出させるものである。消去部３６は、蓄積性蛍光体シートＰの幅方向に延在する蛍光灯６２が蓄積性蛍光体シートＰの上下方向に複数本配設され、また、消去光Ｑが出力される出力面全域には放射線Ｓを吸収する重元素含有フィルタ６４が配設される。
【００２５】
横臥型ＣＲユニット１６は、前述した立位型ＣＲユニット１４が被写体３０を立位姿勢で撮影するのに対して、臥位姿勢（横臥姿勢）で撮影する点が異なるのみである。従って、横臥型ＣＲユニット１６は、撮影台４２、蓄積性蛍光体シートＰおよび各構成要素が水平方向に配置されている点を除き、基本的に立位型ＣＲユニット１４と同等であるため、その詳細な説明は省略する。
【００２６】
制御装置１８は、図１に示すように、シーケンス制御部７０（制御部）と、画像処理部７２（制御部）と、切換部７４とから構成される。
【００２７】
シーケンス制御部７０は、立位型ＣＲユニット１４および横臥型ＣＲユニット１６の全体的なシーケンス制御を行う。シーケンス制御部７０は、基本的には、図３に示すように、放射線源４０の放射線量等を制御する放射線制御部８０と、ライン光源５４、ＣＣＤラインセンサ５８およびスキャナユニット駆動部５２の駆動制御を行う読取制御部８２と、消去部３６の蛍光灯６２の点灯制御を行う消去制御部８４と、画像処理部７２で処理された放射線画像情報をネットワーク２０を介して画像情報処理装置２２に送信する送信制御部８６と、氏名、年齢等の被写体情報やＣＲユニット１４、１６の稼動情報を表示する表示部（図示せず）および撮影サイズ等の撮影情報を入力するキーボート（図示せず）等から構成される操作パネル７６、７８（図１参照）を制御する操作パネル制御部８８とから構成される。この場合、操作パネル７６は立位型ＣＲユニット１４を操作し、操作パネル７８は横臥型ＣＲユニット１６を操作する。
【００２８】
画像処理部７２は、立位型ＣＲユニット１４および横臥型ＣＲユニット１６の画像処理を行う。画像処理部７２は、基本的には、図４に示すように、立位型ＣＲユニット１４および横臥型ＣＲユニット１６において、ＣＣＤラインセンサ５８によって光電変換された後、増幅され、さらにアナログ信号からデジタル信号に変換された放射線画像情報に対して暗補正等の補正を施す補正部９０と、幅方向に対して複数配列された各ＣＣＤラインセンサ５８間での主走査方向のつなぎ処理を行う画素結合処理部９２と、読取部３４が蓄積性蛍光体シートＰを読み取る際の読取ダイナミックレンジに応じた消去光Ｑの消去レベルを算出する消去レベル算出部９４と、輪郭強調処理等を行い、読み取った放射線画像情報の鮮鋭度を補正する鮮鋭度補正部９６とを含む。シーケンス制御部７０と画像処理部７２とは双方向に接続され、放射線画像情報や制御信号の受け渡しを行う。
【００２９】
切換部７４は、第１切換回路１００と、第２切換回路１０２と、切換信号生成部１０４とを備えて構成される。
【００３０】
第１切換回路１００は、シーケンス制御部７０に接続されるとともに、立位型ＣＲユニット１４と、立位型ＣＲユニット１４を操作する操作パネル７６と、横臥型ＣＲユニット１６と、横臥型ＣＲユニット１６を操作する操作パネル７８とに接続される。また、第２切換回路１０２は、画像処理部７２に接続されるとともに、立位型ＣＲユニット１４と、横臥型ＣＲユニット１６とに接続される。第１切換回路１００および第２切換回路１０２には、切換信号生成部１０４が接続される。
【００３１】
切換信号生成部１０４には、立位型ＣＲユニット１４および横臥型ＣＲユニット１６の各センサ３８による検出信号が入力する。切換信号生成部１０４は、この検出信号に基づき、第１切換回路１００および第２切換回路１０２に接続される立位型ＣＲユニット１４、横臥型ＣＲユニット１６、操作パネル７６、７８を切り換える切換信号ＳＥＬを生成する。
【００３２】
シーケンス制御部７０および画像処理部７２は、所定の制御プログラムに従い、図３および図４に示す各処理を実行する。この制御プログラムは、例えば、撮影室１２内に同型のＣＲユニットが複数設置されている場合、共用することができる。一方、撮影室１２内に異なる機種のＣＲユニットが設置されている場合、制御プログラムを機種毎に持つ必要がある。例えば、本実施の形態の如く、制御プログラムが異なる立位型ＣＲユニット１４と横臥型ＣＲユニット１６とを備える場合、図５に示すように、制御プログラムを記憶するメモリ等の記憶装置のアドレス空間を二分割し、例えば、立位型ＣＲユニット１４の制御プログラムを下位のアドレス空間に格納し、横臥型ＣＲユニット１６の制御プログラムを上位のアドレス空間に格納し、前記切換信号ＳＥＬに基づいてＣＰＵがそれぞれのアドレス空間にアクセスするようにすればよい。
【００３３】
画像情報処理装置２２は、被写体情報や撮影情報を入力する機能、立位型ＣＲユニット１４あるいは横臥型ＣＲユニット１６で読み取られた放射線画像情報を受信する機能、受信した放射線画像情報に適切な画像処理を施す機能、画像処理が施された放射線画像情報を、ネットワーク２０を介して画像情報記録装置、画像情報閲覧装置、画像情報保存装置等に配信する機能等を備えている。
【００３４】
本実施の形態の放射線画像情報記録読取装置の制御装置が適用される放射線画像情報処理システム１０は、基本的には以上のように構成されるものであり、次に、放射線画像情報処理システム１０の動作について、以下説明する。
【００３５】
まず、撮影室１２内に設置された立位型ＣＲユニット１４および横臥型ＣＲユニット１６のセンサ３８が被写体３０の接近を検出可能な状態に設定される（常に検出可能な状態であってもよい）。ここで、放射線画像情報の記録を行うべく、患者等の被写体３０が、例えば、立位型ＣＲユニット１４に移動したとする。
【００３６】
被写体３０の接近は、センサ３８によって検出される。この検出信号は、切換部７４の切換信号生成部１０４に入力する。この場合、横臥型ＣＲユニット１６には被写体３０が接近していないので、横臥型ＣＲユニット１６のセンサ３８は、切換信号生成部１０４に対して検出信号を出力しない。従って、切換信号生成部１０４は、立位型ＣＲユニット１４が選択されたと判断し、第１切換回路１００および第２切換回路１０２に対して立位型ＣＲユニット１４が選択されたことを示す切換信号ＳＥＬを出力する。この切換信号ＳＥＬに基づいて、第１切換回路１００は、シーケンス制御部７０と立位型ＣＲユニット１４およびそれを制御する操作パネル７６とを接続し、第２切換回路１０２は、画像処理部７２と立位型ＣＲユニット１４とを接続する。
【００３７】
更に、シーケンス制御部７０および画像処理部７２を構成する各ＣＰＵは、前記切換信号ＳＥＬに基づいて、制御プログラムを記憶する記憶装置の下位のアドレス空間（図５参照）にアクセスし、所定の制御プログラムを実行する。
【００３８】
そこで、シーケンス制御部７０は、操作パネル制御部８８の制御作用下に操作パネル７６を構成する表示部に被写体３０の氏名、年齢等の被写体情報や立位型ＣＲユニット１４の稼動情報を表示させる。医師等は、前記被写体情報等から撮影サイズ等の撮影情報を決定し、操作パネル７６を構成するキーボードから入力する。キーボードから入力された撮影情報は、操作パネル制御部８８に入力されて処理される。
【００３９】
次いで、医師等の操作によって撮影台４２を昇降させる等の記録位置合わせが行われた後、被写体３０が撮影台４２に配置された状態で、医師等の操作によって放射線Ｓの照射が開始される。すなわち、シーケンス制御部７０を構成する放射線制御部８０の制御によって放射線源４０から出力された放射線Ｓは、被写体３０を透過して蓄積性蛍光体シートＰに到達することにより、前記蓄積性蛍光体シートＰに放射線画像情報が記録される。
【００４０】
被写体３０の放射線画像情報が蓄積性蛍光体シートＰに記録された後、読取制御部８２の制御下に読取部３４によって放射線画像情報が読み取られる。すなわち、スキャナユニット５０を構成するライン光源５４を駆動して励起光Ｌを発生させるとともに、ＣＣＤラインセンサ５８を駆動して蓄積性蛍光体シートＰから発せられた輝尽発光光Ｒを読み取る。一方、スキャナユニット駆動部５２を駆動してボールねじ６０を回転させ、ボールねじ６０に螺合するスキャナユニット５０を副走査方向に変位させ、蓄積性蛍光体シートＰの放射線画像情報を２次元的に読み取る。
【００４１】
ＣＣＤラインセンサ５８によって光電変換された放射線画像情報は、増幅された後デジタル信号に変換され、第２切換回路１０２を介して画像処理部７２に入力する。画像処理部７２に入力したデジタル化された放射線画像情報は、補正部９０において、暗補正等の補正が施される。さらに、画素結合処理部９２において、各ＣＣＤラインセンサ５８間での主走査方向のつなぎ処理を行った後、鮮鋭度補正部９６で輪郭強調等の画像処理が施される。
【００４２】
画像処理が施された放射線画像情報はシーケンス制御部７０に転送され、送信制御部８６からネットワーク２０を介して画像情報処理装置２２に転送される。画像情報処理装置２２は、受信した放射線画像情報を閲覧、記録、または保存する。
【００４３】
次いで、放射線画像情報の読取処理が行われた蓄積性蛍光体シートＰに対して、シーケンス制御部７０における消去制御部８４の制御により、消去部３６を構成する蛍光灯６２から消去光Ｑが照射される。従って、蓄積性蛍光体シートＰに残存する放射線エネルギの放出が行われ、この蓄積性蛍光体シートＰは次の撮影に供されることになる。この場合、消去部３６は、画像処理部７２における消去レベル算出部９４から読取ダイナミックレンジに応じた消去光Ｑを出力する指令に従って制御され、蓄積性蛍光体シートＰに残存する放射線エネルギが確実に且つ短時間に消去される。
【００４４】
一方、患者等の被写体３０が、横臥型ＣＲユニット１６に移動した場合、横臥型ＣＲユニット１６側のセンサ３８が検出信号を出力する。従って、切換信号生成部１０４は、横臥型ＣＲユニット１６が選択されたと判断し、第１切換回路１００および第２切換回路１０２に対して横臥型ＣＲユニット１６が選択されたことを示す切換信号ＳＥＬを出力する。この切換信号ＳＥＬに基づいて、第１切換回路１００は、シーケンス制御部７０と横臥型ＣＲユニット１６およびそれを制御する操作パネル７８とを接続し、第２切換回路１０２は、画像処理部７２と横臥型ＣＲユニット１６とを接続する。この場合、シーケンス制御部７０および画像処理部７２を構成する各ＣＰＵは、前記切換信号ＳＥＬに基づいて、制御プログラムを記憶する記憶部の上位のアドレス空間（図５参照）にアクセスするように設定される。以降、前述した立位型ＣＲユニット１４と同様の処理が行われる。
【００４５】
以上説明したように、切換信号ＳＥＬに基づいて第１切換回路１００および第２切換回路１０２を切り換えることにより、立位型ＣＲユニット１４および横臥型ＣＲユニット１６のシーケンス制御および画像処理を行う制御装置１８を各ＣＲユニット１４、１６間で共用する構成としたので、制御装置１８をＣＲユニット１４、１６毎に搭載する構成に比して部品点数を大幅に削減し、各ＣＲユニット１４、１６のコストを大幅に低減することができる。特にシーケンス制御部７０および画像処理部７２は、高価なＣＰＵやＬＳＩで構成されているため、より高いコストダウン効果が得られる。
【００４６】
さらに、各ＣＲユニット１４、１６を小型化させることができるので、撮影室１２における立位型ＣＲユニット１４や横臥型ＣＲユニット１６の設置面積を少なくすることができる。従って、被写体３０と放射線源４０との距離を十分に確保して、放射線撮影の自由度を向上させることができる。
【００４７】
以上説明した実施の形態では、立位型ＣＲユニット１４と横臥型ＣＲユニット１６間でシーケンス制御部７０および画像処理部７２を共通化する構成としているが、これに限定されるものではなく、例えば、操作パネル７６、７８については、共用するようにしてもよい。
【００４８】
また、立位型ＣＲユニット１４と横臥型ＣＲユニット１６との切り換えをセンサ３８による患者等の被写体３０の接近の検知に基づいて行っているが、これに限定されるものではなく、例えば、画像情報処理装置２２からの指令に基づいて切り換える構成とすることもできる。
【００４９】
さらに、共通化されるＣＲユニットの数は２台に限定されるものではなく、また、切り換えの対象となるＣＲユニットを立位型ＣＲユニット１４、横臥型ＣＲユニット１６以外のＣＲユニットに適用することもできる。
【００５０】
【発明の効果】
以上のように、本発明によれば、制御部を複数の放射線画像情報記録読取装置間で共通化するので、制御部を放射線画像情報記録読取装置毎に搭載する構成に比して部品点数を大幅に削減することができ、従って、より高いコストダウン効果が得られる。
【００５１】
さらに、放射線画像情報記録読取装置を小型化させることができるので、撮影室における放射線画像情報記録読取装置の設置面積を少なくすることができる。従って、例えば、被写体と放射線源との距離を確保し、放射線撮影の自由度を向上させることができる。
【図面の簡単な説明】
【図１】本実施の形態の放射線画像情報記録読取制御装置が適用される放射線画像情報処理システムの構成を説明するブロック図である。
【図２】立位型ＣＲユニットの概略構成図である。
【図３】本実施の形態の制御装置を構成するシーケンス制御部のブロック図である。
【図４】本実施の形態の制御装置を構成する画像処理部のブロック図である。
【図５】異なる制御プログラムを格納する場合のシーケンス制御部および画像処理部の記憶装置のメモリマップである。
【符号の説明】
１０…放射線画像情報処理システム    １２…撮影室
１４…立位型ＣＲユニット            １６…横臥型ＣＲユニット
１８…制御装置                      ３２…放射線記録部
３４…読取部                        ３６…消去部
３８…センサ                        ７０…シーケンス制御部
７２…画像処理部                    ７４…切換部
７６、７８…操作パネル              １００…第１切換回路
１０２…第２切換回路                １０４…切換信号生成部
【図１】
2004191565.tif 000003
【図２】
2004191565.tif 000004
【図３】
2004191565.tif 000005
【図４】
2004191565.tif 000006
【図５】
2004191565.tif 000007